(57)【特許請求の範囲】
【請求項１】
レーザーを照射するレーザー光源と、
前記レーザー光源を格納する本体部と、
前記本体部を持ち上げ可能とするために前記本体部の２つの支持部間を繋ぐように配置された保持ベルトとを備え、
前記レーザー光源は、
水平方向にレーザーを照射する水平レーザー光源と、
垂直方向にレーザーを照射する垂直レーザー光源とを含み、
前記保持ベルトは、伸縮可能となっており、前記本体部の上面に面し、かつ前記垂直レーザー光源からのレーザー光に干渉しない状態をとることが可能となっている、レーザー墨出器。
【請求項２】
前記保持ベルトは、前記本体部の上面に面する位置において、前記垂直レーザー光源からのレーザー光に干渉しない状態と前記垂直レーザー光源からのレーザー光に干渉する状態との２つの状態をとることが可能となっている、請求項１に記載のレーザー墨出器。
【請求項３】
前記保持ベルトは、前記本体部の上面に面し、かつ前記垂直レーザー光源からのレーザー光に干渉しない状態で固定可能となっている、請求項１または２に記載のレーザー墨出器。
【請求項４】
前記保持ベルトは、前記本体部の上面に面し、かつ前記垂直レーザー光源からのレーザー光に干渉する状態で固定可能となっている、請求項１〜３のいずれか１項に記載のレーザー墨出器。
【請求項５】
前記保持ベルトは、前記２つの支持部を支点として回動可能となっている、請求項１〜４のいずれか１項に記載のレーザー墨出器。
【請求項６】
前記保持ベルトは、
前記２つの支持部のそれぞれに設置されたベース部と、
前記ベース部間を繋ぐベルト部とを含み、
前記ベルト部は前記ベース部に対してスライド可能に取り付けられている、請求項１〜５のいずれか１項に記載のレーザー墨出器。
【請求項７】
前記ベース部と前記ベルト部とは、前記ベルト部が前記本体部の上面に面し、かつ前記垂直レーザー光源からのレーザー光に干渉しない状態で互いに係合可能となっている、請求項６に記載のレーザー墨出器。
【請求項８】
前記ベース部と前記ベルト部とは、前記ベルト部が前記本体部の上面に面し、かつ前記垂直レーザー光源からのレーザー光に干渉する状態で互いに係合可能となっている、請求項６または７に記載のレーザー墨出器。
【発明の詳細な説明】
【技術分野】
【０００１】
本発明はレーザー墨出器に関し、より特定的には、本体部を持ち上げ可能とするための保持ベルトを備えたレーザー墨出器に関するものである。
【背景技術】
【０００２】
建築現場において、たとえば壁面、床面、天井面などに基準線を表示するための装置として、レーザー墨出器が使用される場合がある。近年、このレーザー墨出器においては、使用者の利便性を高める観点から、表示される基準線の精度向上、輝度向上などとともに、照射範囲の広範囲化が進められている（たとえば特許文献１参照）。
【先行技術文献】
【特許文献】
【０００３】
【特許文献１】特開平１１−２３０７５３号公報
【発明の概要】
【発明が解決しようとする課題】
【０００４】
一般に、上記レーザー墨出器においては、その持ち運びのために、本体に保持ベルトが取り付けられる。また、高機能な近年のレーザー墨出器は、水平ラインおよび垂直ライン（たちライン）の両方を表示可能となっている。このようなレーザー墨出器においてレーザー光の照射範囲が広げられると、レーザー光と保持ベルトとが干渉する場合がある。
【０００５】
本発明はこのような問題を解消するためになされたものであって、その目的は、保持ベルトとレーザー光との干渉を容易に回避可能とするレーザー墨出器を提供することにある。
【課題を解決するための手段】
【０００６】
本発明に従ったレーザー墨出器は、レーザーを照射するレーザー光源と、レーザー光源を格納する本体部と、本体部を持ち上げ可能とするために本体部の２つの支持部間を繋ぐように配置された保持ベルトとを備えている。レーザー光源は、水平方向にレーザーを照射する水平レーザー光源と、垂直方向にレーザーを照射する垂直レーザー光源とを含む。そして、保持ベルトは、伸縮可能となっており、本体部の上面に面し、かつ垂直レーザー光源からのレーザー光に干渉しない状態をとることが可能となっている。
【０００７】
一般に、保持ベルトは本体部の側面の２点（支持部）を繋ぐように配置される。また、上述のように、レーザー墨出器は、水平ラインおよび垂直ラインの両方を表示可能となっているものも多い。そして、従来のレーザー墨出器は、保持ベルトが水平ラインおよび垂直ラインを表示するレーザー光に干渉しないように倒した状態、すなわち保持ベルトを回動可能な範囲の一方の端まで回動させた状態として使用されていた。しかし、このような構造のレーザー墨出器では、その使用の際には使用者はレーザーの照射方向を常に意識しつつ保持ベルトを倒す必要があり、利便性が十分とはいえなかった。これに対し、本発明者は利便性を向上させる観点からレーザー墨出器の構成について詳細な検討を行ない、本発明に想到した。
【０００８】
すなわち、水平ラインおよび垂直ラインの両方を表示可能なレーザー墨出器の場合、水平ラインを表示するためのレーザー光の照射窓が本体側面の下部に配置され、垂直ラインを照射するためのレーザー光の照射窓が本体側面の上部に配置されることが多い。そのため、上記支持部を水平ラインの照射窓よりも低い位置に配置し、保持ベルトを上述のように倒した状態とすれば、レーザー光と保持ベルトとの干渉（レーザー光の光路に保持ベルトの少なくとも一部が存在する状態）を回避することができる。しかし、レーザー墨出器の本体部の重心は水平ラインの照射窓よりも高い位置となる場合が多く、この場合、保持ベルトを保持して本体部を持ち上げると、本体部が転倒するという問題が生じる。一方、上記支持部を重心よりも高い位置、すなわち水平ラインの照射窓よりも高い位置に配置すると、このような問題は解消し得る。そして、水平ラインを表示するためのレーザー光よりも高い位置に保持ベルトを保持することにより、当該レーザー光と保持ベルトとの干渉を回避することができる。さらに、垂直ラインが広範囲に照射される場合でも、本体部の上面に近い領域には、レーザー光が通過しない領域が形成される。そのため、当該領域を利用することにより、レーザー光と保持ベルトとの干渉を回避することができる。そして、本発明のレーザー墨出器においては、保持ベルトが、本体部の上面に面し、かつ垂直レーザー光源からのレーザー光に干渉しない状態をとり得ることにより、保持ベルトとレーザー光との干渉を容易に回避可能なレーザー墨出器となっている。
【０００９】
上記レーザー墨出器においては、保持ベルトは、本体部の上面に面する位置において、垂直レーザー光源からのレーザー光に干渉しない状態と垂直レーザー光源からのレーザー光に干渉する状態との２つの状態をとることが可能となっていてもよい。
【００１０】
上述のように、本体部の上面に面する位置において、垂直レーザー光源からのレーザー光に干渉しない領域に保持ベルトを位置させることにより、保持ベルトがレーザー光に干渉することが回避される。しかし、垂直レーザー光源からのレーザー光に干渉しない領域は、本体部の上面から近い領域に限られるため、当該上面と保持ベルトとの距離が不十分となり、使用者が保持ベルトを握りにくくなるおそれがある。これに対し、保持ベルトが垂直レーザー光源からのレーザー光に干渉する状態、すなわち保持ベルトが上面から十分に離れた状態をもとり得ることにより、使用者が保持ベルトを握り易くなる。
【００１１】
上記レーザー墨出器においては、保持ベルトは、本体部の上面に面し、かつ垂直レーザー光源からのレーザー光に干渉しない状態で固定可能となっていてもよい。このようにすることにより、保持ベルトがレーザー光に干渉することをより確実に回避することができる。
【００１２】
上記レーザー墨出器においては、保持ベルトは、本体部の上面に面し、かつ垂直レーザー光源からのレーザー光に干渉する状態で固定可能となっていてもよい。このような位置、すなわち使用者が保持ベルトを握り易い位置で保持ベルトを固定可能とすることにより、レーザー墨出器を保持ベルトにより保持することが容易となる。
【００１３】
上記レーザー墨出器においては、保持ベルトは、上記２つの支持部を支点として回動可能となっていてもよい。これにより、たとえば本体部の上面にスイッチ類や水準器等を配置した場合でも、それらを容易に確認あるいは操作することが可能となる。
【００１４】
上記レーザー墨出器においては、保持ベルトは、２つの支持部のそれぞれに設置されたベース部と、ベース部間を繋ぐベルト部とを含み、ベルト部はベース部に対してスライド可能に取り付けられていてもよい。このようにすることにより、容易に保持ベルトを伸縮可能とすることができる。
【００１５】
上記レーザー墨出器においては、ベース部とベルト部とは、ベルト部が本体部の上面に面し、かつ垂直レーザー光源からのレーザー光に干渉しない状態で互いに係合可能となっていてもよい。このようにすることにより、保持ベルトがレーザー光に干渉することをより確実に回避することができる。
【００１６】
上記レーザー墨出器においては、ベース部とベルト部とは、ベルト部が本体部の上面に面し、かつ垂直レーザー光源からのレーザー光に干渉する状態で互いに係合可能となっていてもよい。このようにすることにより、使用者が保持ベルトを握り易くなる。
【発明の効果】
【００１７】
以上の説明から明らかなように、本発明のレーザー墨出器によれば、保持ベルトとレーザー光との干渉を容易に回避可能とするレーザー墨出器を提供することができる。
【図面の簡単な説明】
【００１８】
【図１】レーザー墨出器の構造を示す概略斜視図である。
【図２】レーザー墨出器の構造を示す概略断面図である。
【図３】レーザー墨出器の構造を示す概略斜視図である。
【図４】レーザー墨出器の構造を示す概略断面図である。
【図５】保持ベルトの構造を示す概略図である。
【図６】保持ベルトの構造を示す概略図である。
【図７】保持ベルトの構造を示す概略図である。
【発明を実施するための形態】
【００１９】
以下、図面に基づいて本発明の実施の形態を説明する。なお、以下の図面において同一または相当する部分には同一の参照番号を付し、その説明は繰り返さない。
【００２０】
図１および図２を参照して、本発明の一実施の形態におけるレーザー墨出器１は、本体部２０と、本体部２０を支持する支持部３０と、本体部２０を持ち上げ可能とするために本体部の２つの支持部２８間を繋ぐように配置された保持ベルト４０とを備えている。本体部２０には、図２に示すように、水平方向にレーザーを照射する水平レーザー光源１２と、垂直方向にレーザーを照射する垂直レーザー光源１１とが格納されている。図１を参照して、本体部２０は、円筒状の形状を有するベース部２１と、ベース部２１上に配置され、円錐台形状を有するテーパー部２２とを含んでいる。ベース部２１には、水平レーザー光源１２からのレーザー光を透過するための水平レーザー透過窓２５が複数個配置されている。一方、テーパー部２２には、垂直レーザー光源１１からのレーザー光を透過するための垂直レーザー透過窓２６が複数個配置されている。また、本体部２０の上面２３には、レーザー墨出器１の動作を制御するためのスイッチ等が配置されている。なお、レーザー墨出器１の重心は、水平レーザー透過窓２５よりも高い位置（図１および図２のように水平面上にレーザー墨出器１を設置した場合、鉛直方向において設置面から遠い位置）であって、支持部２８よりも低い位置（鉛直方向において設置面に近い位置）に存在する。そのため、使用者が保持ベルト４０を掴んでレーザー墨出器１を持ち上げた場合でも、レーザー墨出器１は転倒しない。
【００２１】
水平レーザー光源１２および垂直レーザー光源１１は、それぞれ各水平レーザー透過窓２５および各垂直レーザー透過窓２６に対応して配置されている。つまり、水平レーザー光源１２および垂直レーザー光源１１は、本体部２０の内部にそれぞれ複数個配置されている。そして、複数の水平レーザー光源１２からのレーザー光の一部が重なることにより、表示されるラインが繋がり、広範囲に水平ラインを表示可能となっている。また、複数の垂直レーザー光源１１からのレーザー光の一部が重なることにより、表示されるラインが繋がり、広範囲に垂直ラインを表示可能となっている。
【００２２】
支持部３０は、本体部２０を支持するベース部３３と、ベース部３３から突出する複数の脚部３１と、脚部３１の先端に配置された先端部３２とを含んでいる。そして、保持ベルト４０は、本体部２０の上面２３に面し、かつ垂直レーザー光源１１からのレーザー光に干渉しない状態、すなわちレーザー光の光路を遮らない状態をとることが可能となっている。
【００２３】
より具体的には、図２を参照して、垂直レーザー光源１１からは、領域αにレーザーが照射される。そして、領域βにおいてはレーザーが重なり、この領域においてレーザーにより表示される垂直ラインが繋がる。一方、本体部２０の上面に面する近傍領域にはいずれの光源からのレーザーの光路ともならない円錐状の領域γが形成される。そして、保持ベルト４０がこの領域γを通って本体部２０の側面に配置された一対の支持部２８間を繋ぐ状態とされることにより、垂直レーザー光源１１および水平レーザー光源１２のいずれからのレーザー光とも干渉しない状態となる。これにより、本実施の形態におけるレーザー墨出器１は、保持ベルト４０とレーザー光との干渉を容易に回避可能なレーザー墨出器となっている。
【００２４】
また、図１〜図４を参照して、保持ベルト４０は、本体部２０の上面２３に面する位置において、垂直レーザー光源１１からのレーザー光に干渉しない状態と垂直レーザー光源１１からのレーザー光に干渉する状態との２つの状態をとることが可能となっていることが好ましい。具体的には、たとえば保持ベルト４０は、図１に示すように２つの支持部２８のそれぞれに設置されたベース部４１と、ベース部４１間を繋ぐベルト部４２とを含んいる。そして、図１および図３に示すように、ベルト部４２はベース部４１に対してスライド可能に取り付けられていてもよい。
【００２５】
このようにすることにより、保持ベルト４０を、全体として伸縮可能とすることができる。そして、保持ベルト４０が縮んだ状態、すなわちベルト部４２と本体部２０の上面２３との距離が小さい状態（図１）と、保持ベルト４０が伸びた状態、すなわちベルト部４２と本体部２０の上面２３との距離が大きい状態（図３）とを保持ベルト４０がとり得ることにより、保持ベルト４０（より詳細にはベルト部４２）が図２に示すように垂直レーザー光源１１からのレーザー光の光路である領域αまたは領域βを通過することなく光路以外の領域γのみを通過する状態と、図４に示すように当該レーザー光の光路である領域αまたは領域βを通過する状態とをとることが可能となる。このように、保持ベルト４０と本体部２０の上面２３との距離が近くレーザー光と保持ベルト４０との干渉を回避可能な状態だけでなく、保持ベルト４０と本体部２０の上面２３との距離を大きくすることによって使用者が保持ベルト４０（より詳細にはベルト部４２）を握り易い状態をもとり得るようにすることにより、レーザー墨出器１の移動を容易にすることができる。
【００２６】
また、保持ベルト４０は、本体部２０の上面２３に面し、かつ垂直レーザー光源１１からのレーザー光に干渉しない状態で固定可能となっていることが好ましい。これにより、保持ベルト４０がレーザー光に干渉することをより確実に回避することができる。さらに、保持ベルト４０は、本体部２０の上面２３に面し、かつ垂直レーザー光源１１からのレーザー光に干渉する状態で固定可能となっていてもよい。これにより、レーザー墨出器１を保持ベルト４０による保持が容易なものとすることができる。
【００２７】
ここで、上記保持ベルト４０の固定は、たとえば以下のように達成することができる。図５〜図７を参照して、保持ベルト４０のベース部４１には、一対の下部係合突起４１Ａと、下部係合突起４１Ａよりも本体部２０の上面２３からの距離が小さい位置に配置された一対の上部係合突起４１Ｂとが形成されている。一方、ベルト部４２は、ベース部４１を保持するとともにベース部４１の長手方向にスライド可能な保持部４２Ａを含んでいる。そして、図５に示すように、ベルト部４２の保持部４２Ａが下部係合突起４１Ａを超えて下方（本体部２０の上面２３から離れる側）に移動することにより、保持ベルト４０は、本体部２０の上面２３に面し、かつ垂直レーザー光源１１からのレーザー光に干渉しない状態で固定される。また、使用者は、ベルト部４２の保持部４２Ａが下部係合突起４１Ａを超える感覚により、保持ベルト４０がレーザー光に干渉しない状態で固定されたことを知ることができる。
【００２８】
一方、図５の状態から保持ベルト４０を引き上げてベルト部４２の保持部４２Ａが下部係合突起４１Ａを超えて上方（本体部２０の上面２３に近づく側）に移動することにより、図６に示すようにベルト部４２がベース部４１に対してスライド可能な状態となる。そして、さらに保持ベルト４０を引き上げていくと、図７に示すように、保持部４２Ａの内周面（ベース部に対向する面）に形成された係合部（図示しない）とベース部４１の上部係合突起４１Ｂとが係合する。これにより、保持ベルト４０がレーザー光に干渉する状態、すなわち使用者がベルト部４２を容易に握ることが可能な状態で保持ベルト４０が固定される。また、使用者は、ベルト部４２の保持部４２Ａと上部係合突起４１Ｂとが係合する感覚により、保持ベルト４０がレーザー光に干渉する状態（ベルト部４２を握り易い状態）で固定されたことを知ることができる。
【００２９】
さらに、図７を参照して、保持ベルト４０は、２つの支持部２８を支点として回動可能となっていることが好ましい。より具体的には、たとえば保持ベルト４０のベース部４１が、矢印Ａに沿って支持部２８を中心として回転可能であることが好ましい。これにより、たとえば本体部２０の上面２３にスイッチ類や水準器等を配置した場合でも、それらを容易に確認あるいは操作することができる。また、保持ベルト４０が回動可能な場合、保持ベルト４０を縮めることによりレーザー光との干渉を回避可能な位置で、保持ベルト４０を固定できることが好ましい。また、この場合、使用者が、保持ベルト４０が固定されたことを回動の抵抗の変化等により知り得るような構造を採用することが好ましい。
【００３０】
なお、上記実施の形態においては、本発明の一例としてレーザー墨出器１の構造を例示したが、本発明のレーザー墨出器はこれに限られず、種々の構造のレーザー墨出器に本発明の構成を適用することができる。
【００３１】
今回開示された実施の形態はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【００３２】
本発明のレーザー墨出器は、本体部を持ち上げ可能とするための保持ベルトを備えたレーザー墨出器に、特に有利に適用され得る。
【符号の説明】
【００３３】
１  レーザー墨出器、１１  垂直レーザー光源、１２  水平レーザー光源、２０  本体部、２１  ベース部、２２  テーパー部、２３  上面、２５  水平レーザー透過窓、２６  垂直レーザー透過窓、２８  支持部、３０  支持部、３１  脚部、３２  先端部、３３  ベース部、４０  保持ベルト、４１  ベース部、４１Ａ  下部係合突起、４１Ｂ  上部係合突起、４２  ベルト部、４２Ａ  保持部。
【図１】
0005554669.tif 000002
【図２】
0005554669.tif 000003
【図３】
0005554669.tif 000004
【図４】
0005554669.tif 000005
【図５】
0005554669.tif 000006
【図６】
0005554669.tif 000007
【図７】
0005554669.tif 000008